(57)【要約】      （修正有）【課題】なで肩の人であっても肩紐のずれ落ち防止効果が高くて、着け心地が良好であり、さらには、背中が広く開いた服でも着ることができるようなブラジャーの提供。【解決手段】左右に配設されるカップ部１２と、これらカップ部１２を人体に着用すべくカップ部１２に連設され人体の側部から背中にかけて取付けられる取付け帯１４と、カップ部１２と取付け帯１４との間に掛け渡される左右一対の肩紐１５を有するブラジャー１１であって、取付け帯１４における人体の背中の左右両側部に対応する部位に、平紐状をなす２本の紐状部１８をその上端が互いに近接する方向に向け上方へ延設して形成した略三角形状をなす支持部１４ｂを設けるとともに、支持部１４ｂの上端部に、肩紐１５を支持部１４ｂとの間で相対移動可能に連結する連結部材１９を取付けて、連結部材１９に、肩紐１５の後端１５ａを連結したブラジャー１１。【選択図】図１
0003110051.tif 000002
【実用新案登録請求の範囲】
【請求項１】
左右に配設されるカップ部と、これらカップ部を人体に着用すべくカップ部に連設され人体の側部から背中にかけて取付けられる取付け帯と、上記カップ部と取付け帯との間に掛け渡される左右一対の肩紐を有するブラジャーであって、
上記取付け帯における人体の背中の左右両側部に対応する部位に、上方へのびて上端部が狭まる略三角形状をなす支持部を形成し、
該支持部の上端部に、上記肩紐の後端を連結した
ブラジャー。
【請求項２】
前記肩紐が、支持部との間での相対移動を可能にする連結部材を介して連結された
請求項１に記載のブラジャー。
【請求項３】
前記支持部が、平紐状をなす複数本の紐状部で形成されたものである
請求項１または請求項２に記載のブラジャー。
【請求項４】
左右に配設されるカップ部と、これらカップ部を人体に着用すべくカップ部に連設され人体の側部から背中にかけて取付けられる取付け帯と、上記カップ部と取付け帯との間に掛け渡される左右一対の肩紐を有するブラジャーであって、
上記取付け帯における人体の背中の左右両側部に対応する部位に、平紐状をなす２本の紐状部をその上端が互いに近接する方向に向け上方へ延設して形成した略三角形状をなす支持部を設けるとともに、
該支持部の上端部に、上記肩紐を支持部との間で相対移動可能に連結する連結部材を取付けて、
上記連結部材に、上記肩紐の後端を連結した
ブラジャー。
【請求項５】
前記紐状部の上端部が、一体に結合された
請求項３または請求項４に記載のブラジャー。
【考案の詳細な説明】
【技術分野】
【０００１】
この考案は、着用していて肩紐がずり落ちず、着け心地が良好なブラジャーに関する。
【背景技術】
【０００２】
ブラジャーは、図８に示したように、左右に配設されるカップ部１０１と、これらカップ部１０１を人体に着用すべくカップ部１０１に連設され人体の側部から背中にかけて取付けられる取付け帯１０２と、上記カップ部１０１と取付け帯１０２との間に掛け渡される左右一対の肩紐１０３を有する。そして、上記肩紐１０３は、平紐で構成され、その前端は上記カップ部１０１の上端に固定されるとともに、後端は、着用した時に肩甲骨よりも下に位置する上記取付け帯１０２における背中の片側に対応する位置に固定されている。
【０００３】
このような構成のブラジャーでは、肩紐１０３はその両端がそれぞれ固定されているのものの、着用時におけるそれらの位置には、大きな隔たりがある。着用時に肩紐１０３が動く場合というのは、肩がふいに下や前に動いて支えを失う時であるので、上述のように肩紐１０３の両端位置の隔たりが大きいと、肩紐１０３が平紐からなるため、肩紐１０３の前端近傍１０４と後端近傍１０５とを支点にして、図示の如く大きく傾く。肩紐１０３の傾く範囲が大きいと、肩紐１０３が不測に動いた時に肩の最も外側の角部を越えやすい。
【０００４】
このため、少し肩を動かしただけで肩紐１０３がずり落ちてしまい、不快な思いをすることがよくある。
【０００５】
このような問題点を解決するため、下記特許文献１に開示されているような考案が提案されているが、確実なずれ落ち防止対策にはならなかった。
【０００６】
特許文献１のブラジャーは、上述のようにカップ部と取付け帯との間に掛け渡された肩紐の背中側部分に、肩紐の背中側部分が外側へ移動するのを阻止しようとする紐（以下、便宜上、係留紐という）等を設けたものである。
【０００７】
その係留紐は、特許文献１の図１のブラジャーでは、左右一対の肩紐間を繋ぐように設けられ、図２のブラジャーでは、左右一対の肩紐間に交差させるように設けられている。図３のブラジャーにおいては、肩紐の背中側部分の上部と、その肩紐が固定されている取付け帯の端部近傍との間に斜めに掛け渡すように取付けられている。
【０００８】
これらのうち、図１、図２のものは、着用に際して、取付け帯を人体に取付けるほかに、係留紐同士を別途に連結しなければならず、着用における不便さがある。また、背中の中央に係留紐が位置するので、背中が広く開いた服を着ることができない難点もある。
【０００９】
特許文献１の図３のブラジャーは、取付け帯を取付ければ着用できるので簡単ではあるが、図９に示したように、ずれ落ち防止効果が低く、なで肩の人にまで効果を発揮するものではなかった。
【００１０】
すなわち、特許文献１の図３に開示されたブラジャーは、図９に実線で示した構造の肩紐１０３と係留紐１０６とを有するが、この肩紐１０３は、図８に示したような従前通りの通常位置に取付けられており、上述の通り、この肩紐１０３の背中側の上下方向中間部分と、取付け帯１０２の端部近傍との間に係留紐１０６が斜めに掛け渡されている。
【００１１】
しかし、上記係留紐１０６は、肩紐１０３の背中側の一部を繋ぎとめているだけであり、肩紐１０３が支えをなくしたときに動く時の支点はあくまでも、取付け帯との結合部の近傍、すなわち肩紐１０３の根元部１０７にある。このため、図８に示した通常のブラジャーの場合に比べると、係留紐１０６の存在により、肩紐１０３の動く軌道の円弧は若干小さくなるものの、肩紐１０３が動く範囲は依然として大きい。肩紐１０３の動く範囲が大きいと、肩が不測に動いた時にその最も外側の角部分を越えてしまいやすく、特になで肩の人では、そのような引っかかりになる部分がないので、ずれ落ちが起こりやすい。
【００１２】
このため、ずり落ち防止効果の確実性は低く、特になで肩の人に対して、効果が低い。
【００１３】
【特許文献１】実開平１−８９９０６号公報
【考案の開示】
【考案が解決しようとする課題】
【００１４】
そこで、この考案は、なで肩の人であっても肩紐のずれ落ち防止効果が高くて、着け心地が良好であり、さらには、背中が広く開いた服でも着ることができるようなブラジャーの提供を主たる課題とする。
【課題を解決するための手段】
【００１５】
そのための手段は、左右に配設されるカップ部と、これらカップ部を人体に着用すべくカップ部に連設され人体の側部から背中にかけて取付けられる取付け帯と、上記カップ部と取付け帯との間に掛け渡される左右一対の肩紐を有するブラジャーであって、上記取付け帯における人体の背中の左右両側部に対応する部位に、上方へのびて上端部が狭まる略三角形状をなす支持部を形成し、該支持部の上端部に、上記肩紐の後端を連結したブラジャーであることを特徴とする。
【００１６】
上記略三角形状をなす支持部は、略三角形状をなす外形を有するものであればよく、中央部があいているものも、実質的に三角形状の生地からなるものも含む意味である。
【００１７】
すなわち、取付け帯から上方にのびる支持部が形成され、この支持部は上端部が狭まる略三角形状をなすので、支持部の左右両下端のニ点が決まることから、他の一点、つまり上端部の位置が決まる。この上端部の位置は、着用時には、背中に当たるので一そう動きにくい。また、この上端部に、肩紐の後端が連結され、その位置は、従来の場合に比して高い位置にある。
【００１８】
このため、着用時における肩紐の両端位置の隔たりは、従来に比して小さい。そして、肩という支えを失った時の肩紐の傾きは、肩紐の前後両端部を支点にして起こるので、その傾動範囲を、従来の場合よりも小さくすることができる。
【００１９】
なお、上記肩紐は、支持部との間での相対移動を可能にする連結部材を介して連結するとよい。肩紐後端部を支点にしての傾く動きが積極的に起こるようにして、支持部や支持部の下部を支点にした動きを抑制することができる。連結部材には、円形や半円形、三角形状等をなす環状の部材やフック状の部材を採用することができる。
【００２０】
また上記支持部は、平紐状をなす複数本の紐状部で形成するとよい。背中に接する部分の面積を小さくすることができ、窮屈感を与えないで快適な着用感を保つようにすることができる。
【００２１】
別の手段は、左右に配設されるカップ部と、これらカップ部を人体に着用すべくカップ部に連設され人体の側部から背中にかけて取付けられる取付け帯と、上記カップ部と取付け帯との間に掛け渡される左右一対の肩紐を有するブラジャーであって、上記取付け帯における人体の背中の左右両側部に対応する部位に、平紐状をなす２本の紐状部をその上端が互いに近接する方向に向け上方へ延設して形成した略三角形状をなす支持部を設けるとともに、該支持部の上端部に、上記肩紐を支持部との間で相対移動可能に連結する連結部材を取付けて、上記連結部材に、上記肩紐の後端を連結したブラジャーであることを特徴とする。
【００２２】
ここでも、上記略三角形状をなす支持部は、略三角形状をなす外形を有するものであればよく、中央部があいているものも、実質的に三角形状の生地からなるものも含む意味である。
【００２３】
すなわち、取付け帯から上方にのびる２本の紐状部からなり、上端部が狭まる略三角形状をなす支持部が形成され、この支持部の上端には、連結部材を介して肩紐の後端が連結されている。上記支持部の左右両下端のニ点が決まることから、紐状部は互いに他の動きを牽制し合うことになり、他の一点、つまり上端部の位置が決まる。この上端部の位置は、着用時には、背中に当たるので一そう動きにくい。また、この上端部に、連結部材を介して肩紐の後端が連結され、その位置は、従来の場合に比して高い位置にある。
【００２４】
このため、着用時における肩紐の両端位置の隔たりは、従来に比して小さく、肩という支えを失った時の肩紐の傾きは、肩紐の前後両端部を支点にして起こるので、その傾動範囲を、従来の場合よりも小さくすることができる。
【００２５】
なお、上記複数本または２本の紐状部の上端部は、たとえば縫着、接着などにより、一体に結合するもよい。一体に結合することで、紐状部の上端部の角度は一定に保たれるので、支持部の上端部の位置は、より一そう安定する。
【考案の効果】
【００２６】
以上のように、この考案によれば、取付け帯から上方に向けて、上端部が固定点となる支持部を形成し、この支持部の上端部の固定点に対して、肩紐の後端を連結しているので、固定点の位置が従来に比して高く、肩紐の両端位置の隔たりを従来のものよりも小さくすることができる。
【００２７】
肩が下がったり前方に移動したりして肩が抜けたときには、肩紐はその前後両端部分を支点にして傾くが、上述のように肩紐の両端位置の隔たりが小さいので、その時に傾きの範囲は小さい。
【００２８】
このため、肩の最も外側の角部よりも手前位置に肩紐の上端の傾動軌道が当たるようにすることが可能で、肩紐のずれ落ちを確実に防止することができるようになり、着け心地のよいブラジャーが得られる。
【００２９】
また、上記支持部の上端部を固定点としてこれに肩紐の後端を連結するので、肩紐の通る位置を、従来の一般的なタイプのブラジャーの肩紐と同様の位置に設定することができる。このため、固定点の位置を必要以上に背中の中央に寄せないことで、肩紐や支持部が露出することを防止でき、背中の広く開いた服を着ることも可能となる。
【００３０】
さらに、肩紐と支持部と取付け帯とが互いに連結されているので、着用に当たっては取付け帯を人体に取付けるだけであり、着用動作は至って簡単である。
【考案を実施するための最良の形態】
【００３１】
この考案を実施するための一形態を、以下図面を用いて説明する。  
図１は、ブラジャー１１の展開図であり、この図に示すように、ブラジャー１１は、左右に配設されるカップ部１２，１２と、これらカップ部１２，１２を連結一体化するアンダーバスト部１３と、上記カップ部１２，１２およびアンダーバスト部１３から外側に延設され、人体の側部から背中にかけて取付けられる左右一対の取付け帯１４，１４と、上記カップ部１２，１２と取付け帯１４，１４との間に掛け渡される左右一対の肩紐１５，１５とを有する。
【００３２】
上記取付け帯１４は、帯状をなす本体部１４ａの先端部に、対向する取付け帯の本体部１４ａの先端部と相互に係脱するフック部１６またはリング部１７が取付けられている。
【００３３】
そして、上記本体部１４ａにおけるフック部１６またはリング部１７側に近い部位と、本体部１４ａの長さ方向の中間部位とには、平紐からなる２本の紐状部１８，１８の下端が縫着等により固定され、人体の背中の左右両側部に対応する部位に支持部１４ｂが形成されている。上記２本の紐状部１８，１８は、その上端が互いに近接する方向に向けて上方へのびるように固定される。各紐状部１８，１８の上端は、円形リング状の連結部材１９で一体化される。
【００３４】
各紐状部１８，１８の傾斜角度は適宜設定されるが、ブラジャー１１を着用した時に、紐状部１８，１８の上端位置、すなわち支持部１４ｂの上端位置、さらに言えば連結部材１９の位置が、図２に示したように、人体の背中の中央部分に寄りすぎないように設定するのが好ましい。なお、上記紐状部１８，１８の上端位置、支持部１４ｂの上端位置、連結部材１９の位置を、以下、固定点Ｐという。
【００３５】
このようにして略三角形状に形成された支持部１４ｂの上端部の連結部材１９には、上記肩紐１５の後端１５ａを連結し、支持部１４ｂとの間での相対移動を可能にしている。つまり、長さ方向の中間部分では捩れたりしない限り傾倒しにくい肩紐１５が、肩の支えを失った時に、その後端１５ａ部分において移動、すなわち後端１５ａ部分の近傍を支点にして傾きやすくしている。
【００３６】
上記肩紐１５は、周知のように伸縮性を有する平紐で形成している。図中、２０は、長さ調節をするための長さ調節具である。
【００３７】
なお、上記支持部１４ｂを構成する紐状部１８，１８は、伸縮性を有する平紐で構成するも、伸縮性を有しない平紐で構成するも、いずれでもよい。
【００３８】
このように構成したブラジャー１１を着用するには、カップ部１２，１２を所定位置に当てて、肩紐１５，１５を肩にかけてから、一対の取付け帯１４，１４の本体部１４ａ先端同士を背中において相互に係合すればよい。
【００３９】
図２がその着用状態を示し、この着用状態において、取付け帯１４に設けた支持部１４ｂは、肩紐１５に引っ張られ、またその自立性も手伝って、背中にあたる。そして、２本の紐状部１８，１８は、その下端が本体部１４ａに固定され位置決めされているとともに、上端部が連結部材１９で一体化されているので、その上端部の位置、すなわち上記固定点Ｐは、各紐状部１８，１８の互いの作用によりほぼ一定の位置に保たれる。
【００４０】
図３が作用状態を模式的に示した説明図である。すなわち、支持部１４ｂの上端部の固定点Ｐが着用状態においてほぼ一定の位置に保たれるので、肩紐１５の前端１５ｂはカップ部１２の上端位置に固定されるが、肩紐１５の後端１５ａは、前端１５ｂに対向するほどの高い位置に固定されることになる。そして肩紐１５は、肩紐１５の前端１５ｂ部分と後端１５ａ部分を支点にして傾きやすい状態になる（図３仮想線参照）。このため、図３に一点鎖線で示したように肩紐の後端が低い位置にある場合に比して、その傾く範囲を大幅に縮小することができる。
【００４１】
この結果、肩の最も外側の角部よりも手前側位置に肩紐１５の上端の傾動軌道が位置するように設定することが可能になり、肩紐１５のずれ落ちを確実に防止することができるようになる。このため、着け心地のよいブラジャー１１が得られる。
【００４２】
また、上記支持部１４ｂの上端部の位置を固定点Ｐとしてこれに肩紐１５の後端１５ａを連結するので、肩紐１５の通る位置を、従来の一般的なタイプのブラジャーの肩紐と同様の位置に設定することができる。このため、固定点Ｐの位置を必要以上に背中の中央に寄せないことで、服を着たときに肩紐１５や支持部１４ｂが露出することを防止でき、背中の広く開いた服を着ることも可能になる。固定点Ｐの位置は、図４に示したように、支持部１４ｂを構成する２本の紐状部１８，１８の長さと傾斜角度を変えることによって、適宜設定できる。
【００４３】
肩紐１５がずれ落ちにくくする簡単な手段として、たとえば図１０に示したように、肩紐１０３の後端１０３ａを、一対の取付け帯１０２の先端部に近い位置、すなわち背中の真中に対応する位置に固定することも考えられる。しかし、この例の場合には、肩紐１０３が、人体の肩甲骨を斜めに横切るように通るので、背中が広く開いた服を着ると肩紐１０３が露出することになってしまう。これに対して、上述のように固定点を高い位置に設けることにより、図２に示した如く、背中の中央部分に肩紐１５が位置しないようにすることができる。
【００４４】
さらに、肩紐１５と支持部１４ｂと取付け帯１４とが互いに連結されているので、着用に当たっては取付け帯１４を人体に取付けるだけでよく、着用動作は至って簡単である。
【００４５】
さらにまた、上記支持部１４ｂは、平紐からなる２本の紐状部１８，１８で形成しているので、人体の背中に接する部分の面積を小さくすることができ、窮屈感を与えないで快適な着用感を保つようにすることができる。
【００４６】
以上この考案の一形態を説明したが、この考案は、上記構成のみに限定されるものではなく、様々な形態を採用し得る。その若干の例を、以下に説明する。なお、先の構成と同様の部位については、同一の符号を付してその詳しい説明を省略する。
【００４７】
すなわち、連結部材１９は円形以外のリング状に形成するもよく、たとえば図５に示したように、支持部１４ｂを構成する紐状部１８，１８の角度を規制しやすい略三角形状に形成することもできる。図中１９ａは、紐状部１８，１８の傾斜に合せた傾斜片で、１９ｂは、肩紐１５の後端１５ａの横ぶれを防止する凹所である。
【００４８】
また、上述の説明では、それぞれ別体の２本の平紐（紐状部１８，１８）を用いて支持部１４ｂを形成したが、１本の平紐２１を用いて、２本の紐状部１８，１８を有する支持部１４ｂを形成することもできる。すなわち、図６に示したように、平紐２１をその中間部で折り返すとともに両端部をずらして、取付け帯１４の本体部１４ａの所定位置にそれぞれ固定する。そして、折り返した部分に半円リング状の連結部材１９を保持し、折り返し部分の重合部２１ａを縫着により一体化する。一体化することで支持部１４ｂの上端部の角度は一定に保たれるので、支持部１４ｂの上端部の固定点Ｐは、より一そう安定する。
【００４９】
図１に示したブラジャー１１のように２本の平紐（紐状部１８，１８）を用いて支持部１４ｂを形成した場合でも、各紐状部１８，１８を重合して一体化すると、上述のように固定点Ｐの位置をより一そう安定化することができる。
【００５０】
さらに支持部１４ｂは、図７に示したように、三角形状をなす生地２２で形成することもできる。生地の縁には、テープ状の補強布２２ａを重合一体化するのが好ましい。
【００５１】
また、肩紐１５の後端１５ａは、支持部１４ｂに対して縫着により固定するもよく、肩紐１５が支持部１４ｂと分かれている以上は、肩紐１５の後端１５ａ部分を支点にしての傾動は可能である。
【００５２】
さらに、上記説明では、背中で止めるタイプのブラジャーを例示したが、フロントホックタイプのブラジャーに本考案を適用することもできる。
【図面の簡単な説明】
【００５３】
【図１】ブラジャーの展開図。
【図２】着用状態の斜視図。
【図３】作用状態の説明図。
【図４】他の例に係るブラジャーの支持部を示す正面図。
【図５】他の例に係るブラジャーの支持部を示す正面図。
【図６】他の例に係るブラジャーの支持部を示す正面図。
【図７】他の例に係るブラジャーの展開図。
【図８】従来技術の説明図。
【図９】先行技術の問題点を示す説明図。
【図１０】本考案の効果を示す対比例の斜視図。
【符号の説明】
【００５４】
１１…ブラジャー
１２…カップ部
１４…取付け帯
１４ｂ…支持部
１５…肩紐
１５ａ…後端
１８…紐状部
１９…連結部材
【図１】
0003110051.tif 000003
【図２】
0003110051.tif 000004
【図３】
0003110051.tif 000005
【図４】
0003110051.tif 000006
【図５】
0003110051.tif 000007
【図６】
0003110051.tif 000008
【図７】
0003110051.tif 000009
【図８】
0003110051.tif 000010
【図９】
0003110051.tif 000011
【図１０】
0003110051.tif 000012